(57)【要約】【課題】前後一対の上側パネルと下側パネルとの間に介在させることによって上下のパネルが支持されるように目地板を構成し、上下のパネルが簡単な作業で接続できるようにする。【解決手段】前後一対の下側パネルＰ１と上側パネルＰ２との継ぎ目部分に取り付けられる間仕切りパネルの目地板１を、主板１１の両側端に上下パネルＰ１、Ｐ２の端部が接合する目地部１２を有し、目地部１２に隣接してその内方に主板１１の上下両面から突出する突片１３、１４を設け、突片１３、１４と目地部１２との間に上下パネルＰ１、Ｐ２のパネル枠材Ｐ１ａ、Ｐ２ａの鉤状縁部ｋが係合する被係合部１６を設け、主板１１の略中央にボルト挿通孔を設け、これと隣接させて主板１１の下面から突出する突片１５を設けて形成する。【選択図】図１
2008019667.tif 000002
【特許請求の範囲】
【請求項１】
所定間隔を保って取り付けられる前後一対の下側パネル（Ｐ１）と上側パネル（Ｐ２）との継ぎ目部分に取り付けられる間仕切りパネルの目地板（１）であって、
主板（１１）の両側端に上下パネル（Ｐ１、Ｐ２）の端部が接合する目地部（１２）を有し、目地部（１２）に隣接してその内方に主板（１１）の上下両面から突出する突片（１３、１４）が設けられるとともに、突片（１３、１４）と目地部（１２）との間に上下パネル（Ｐ１、Ｐ２）のパネル枠材（Ｐ１ａ、Ｐ２ａ）の鉤状縁部（ｋ）が係合する被係合部（１６）が形成され、主板（１１）の略中央に設けられたボルト挿通孔と隣接して主板（１１）の下面から突出する突片（１５）が設けられた構成を有する間仕切りパネルの目地板。
【請求項２】
所定間隔を保って取り付けられる前後一対の下側パネル（Ｐ１）のパネル枠材（Ｐ１ａ）の下面に跨ってパネル寄せ金具（２）の端部を係合させ、
前後のパネル枠材（Ｐ１ａ）の上面に跨って請求項１に記載の目地板（１）を載せてパネル枠材（Ｐ１ａ）の鉤状縁部（ｋ）を被係合部（１６）に係合させるとともに、パネル寄せ金具（２）と目地板（１）とをボルト留めし、前記目地板（１）の目地部（１２）上に上側パネル（Ｐ２）を載せてそのパネル枠材（Ｐ２ａ）の鉤状縁部（ｋ）を目地板（１）の被係合部（１６）に係合させることにより目地板（１）を挟んで上下パネル（Ｐ１、Ｐ２）を接続する間仕切りパネルの接続構造。
【発明の詳細な説明】
【技術分野】
【０００１】
本発明は、間仕切りパネルの上下パネルの継ぎ目部分に取り付けられる目地板と、これを用いて上下パネルの接続を簡単に行えるようにした構造に関する。
【背景技術】
【０００２】
屋内空間を間仕切りパネルで仕切る場合、仕切られる空間の使用用途や彩光環境などに応じて、平板状のパネルとブランイドパネルやガラスパネル、欄間パネルなどの機能パネルとを組み合わせ、これらパネルを上下複数枚に並べて間仕切りパネルを構成することがある。
【０００３】
図３は、かかる間仕切りパネルの一例であり、床レール５１上に立て並べた支柱５２、５２の間に平板状のパネルＰ１を架け渡して支持させ、このパネルＰ１と天井レール５３との間に欄間パネルＰ２を設置した間仕切りパネルを示している。
従来、上下に並べたパネルの接続は、例えば図４に示されるように、パネルＰ１と欄間パネルＰ２がそれぞれ厚みのある形態のものでは、下側のパネルＰ１の上面に予め凹所５４を形成しておき、下方へ脚片５５ａ、５５ａを突設させてなる接続部材５５を、前記凹所５４に脚片５５ａ、５５ａを嵌合させてパネルＰ１の上面に取り付け、さらに接続部材５５の上面に設けたリブ５５ｂ、５５ｂの間に、欄間パネルＰ２の下端部を嵌め入れて行っていた（例えば特許文献１参照）。
また、例えば図５に示されるように、一対の薄肉パネルを前後に所定間隔を保って並置し、下側パネルＰ１と上側パネルＰ２とで間仕切りパネルを構成する形態のものでは、下側パネルＰ１、Ｐ１のパネル枠材Ｐ１ａ、Ｐ１ａの下面に跨ってパネル寄せ金具５６の両端部を係合させるとともに、前後のパネル枠材Ｐ１ａ、Ｐ１ａに跨って目地板５７を載せ、目地板５７とパネル寄せ金具５６とをボルト５８で締め付けて一体的に固定し、両側端の目地部５７ａ、５７ａに上側パネルＰ２、Ｐ２を載置して上下パネルを接続していた
【０００４】
【特許文献１】実公昭６４−２０１４号公報
【発明の開示】
【発明が解決しようとする課題】
【０００５】
前記図示した、薄肉パネルを一対とする下側パネルＰ１と上側パネルＰ２とで間仕切りパネルが構成される形態のものでは、パネル寄せ金具５６と目地板５７とをボルト５８で締め付けることによって、前後の下側パネルＰ１、Ｐ１を所定間隔を保って固定することができ、目地板５７の両端部に上側パネルＰ２、Ｐ２の下端部を嵌め入れて接続することが可能である。
しかし、パネル寄せ金具５６と目地板５７とをボルト５８で留める作業は、ボルト５８をパネル寄せ金具５６にねじ込んで締め付ける際に、目地板５７でパネル寄せ金具５６が隠れてボルト５８の螺合深さを確認できないことから、ボルト５８を必要以上の深さにねじ込んでしまうことが多かった。そして、ボルト５８を締め付け過ぎると、パネル寄せ金具５６全体が必要以上に上方へ引き寄せられ、これに伴い前後のパネル枠材Ｐ１ａ、Ｐ１ａの先端部分が上方へせり上がってパネルＰ１、Ｐ１の上端が前後に開いてしまうことがあった。
ボルト５８の締め付け過ぎによってパネル寄せ金具５６が変形し、一旦パネルＰ１、Ｐ１の上端が開いてしまうと、ボルト５８を緩めただけでは変形したパネル寄せ金具５６は元の形状に戻ることが難しく、パネルＰ１、Ｐ１を取り外してパネル寄せ金具５６を変形していないものに交換した後、再び取り付け作業を行わなければならず施工が面倒であった。
【０００６】
本発明は従来技術の有するこのような問題点に鑑み、所定間隔を保って取り付けられる前後一対の上側パネルと下側パネルとの間に介在させることによって、上下のパネルが支持されるように目地板を構成し、上下のパネルが簡単な作業で接続できるようにすることを課題とする。
【課題を解決するための手段】
【０００７】
前記課題を解決するため、所定間隔を保って取り付けられる前後一対の上側パネルと下側パネルとの継ぎ目部分に取り付けられる間仕切りパネルの目地板であって、主板の両側端に上下パネルの端部が接合する目地部を有し、目地部に隣接してその内方に主板の上下両面から突出する突片が設けられるとともに、突片と目地部との間に上下パネルのパネル枠材の鉤状縁部が係合する被係合部が形成され、主板の略中央に設けられたボルト挿通孔と隣接して主板の下面から突出する突片が設けられた構成を有することを特徴とする。
【０００８】
前記構成の目地板を用いた上下パネルの接続は、所定間隔を保って取り付けられる前後一対の下側パネルのパネル枠材の下面に跨ってパネル寄せ金具の端部を係合させ、前後のパネル枠材の上面に跨って前記目地板を載せてパネル枠材の鉤状縁部を被係合部に係合させるとともに、前記パネル寄せ金具と目地板とをボルト留めし、次いで前後の目地部上に上側パネルを載せてそのパネル枠材の鉤状縁部を目地板の被係合部に係合させることにより行うことができる。
【０００９】
これによれば、目地板を上下パネルの間に配することにより、前後の目地部に上下パネルの端部が接合し、各パネル枠材の鉤状縁部が目地板の被係合部に係合して目地板の上下にパネルが支持される。被係合部は目地部の内側に設けてあり、また、目地部に隣接させてその内方に突片が設けてあるので、これら被係合部と突片とでパネルの移動が規制され、上下パネルの端部は目地部に接合して保持される。
また、下側パネルのパネル枠材の下面に跨ってパネル寄せ金具の両端を係合させ、これと目地板とをボルトで留める際、パネル寄せ金具に目地板を重ねて上方からボルトをねじ込めば、適度な深さまでボルトが螺合した位置で主板の下面から突出している突片の先端がパネル寄せ金具の上面に当たり、この当たったときの感触でボルトを適切な深さまでねじ込んだことを確認することができる。仮に必要以上にボルトを締め付けたとしても、パネル寄せ金具の上面に突片が当接してパネル寄せ金具の変形が防止されるため、パネル枠材の鉤状縁部が変形することもなく、下側パネルの端部が前後に開くことがない。
なお、本発明の目地板は、上下パネルの端部を目地部に接合させてパネル枠材の鉤状縁部を被係合部に係合させれば、上下パネルを鉛直方向に変移させて鉤状縁部と被係合部との係合を解除しない限り、上下パネルは固定されて移動しないので、目地板をパネル寄せ金具にボルト留めしなくとも、目地板のみで上下パネルを接続することも可能である。
【発明を実施するための最良の形態】
【００１０】
本発明の好適な一実施形態を図面を参照して説明する。
図１は本発明の一実施形態の目地板を用いて上下パネルを接続した状態の間仕切りパネルの要部断面図、図２は図１の目地板の断面とこれに上下パネルを接合した状態を示した図である。
【００１１】
図示した形態は、図３に示した従来例と同様に、床レール５１上に立て並べた支柱５２、５２の間に下側パネルＰ１と欄間パネルなどの上側パネルＰ２を架け渡して支持するとともに、上下に並べたパネルＰ１、Ｐ２の継ぎ目部分に目地板を取り付けて両パネルを接続した構成の間仕切りパネルであり、図中、符号１は目地板、２はパネル寄せ金具、３はボルトをそれぞれ示している。
【００１２】
図１及び図２に示した形態の目地板１は、所定間隔を保って取り付けられる前後一対の上下パネルＰ１、Ｐ２の幅と略同じ長さを有するアルミ型材からなり、その長尺な主板１１の両側に端部を矩形枠状の断面に屈曲させてなる目地部１２、１２を設けるとともに、目地部１２、１２よりも内方の位置に、主板１１の上下面から目地部１２よりも上方へ突出して延びた突片１３、１３と、同じく目地部１２よりも下方へ突出して延びた突片１４、１４をそれぞれ一体に設け、さらに主板１１の略中央にボルト挿通孔（図示せず）を形成し、これと隣接した両側に前記突片１４と同じ長さで下方へ延びた突片１５、１５を一体に設けて形成してある。
より詳しくは、図２に示されるように、前後の目地部１２の内側の角部は、下側パネルＰ１のパネル枠材Ｐ１ａの上方へ湾曲した鉤状縁部ｋと、上側パネルＰ２のパネル枠材Ｐ２ａの下方へ湾曲した鉤状縁部ｋとが係合し得るように、その表面を両縁部の湾曲形状に合致した曲面形状に形成してあり、上下パネルＰ１、Ｐ２の端部を目地部１２に接合した状態で、両パネルのパネル枠材Ｐ１ａ、Ｐ２ａの鉤状縁部ｋが係合する被係合部１６が形成されている。また、主板１１の上下面から突出した突片１３、１４は、目地部１２から僅かな間隔だけ離して目地部１２の内方に隣接して設けてあり、上下パネルＰ１、Ｐ２の端部を目地部１２に接合した状態で、突片１３、１４が両パネルのパネル裏打材Ｐ１ｂ、Ｐ２ｂの内側に近接して配置されるように設けてある。
【００１３】
また、パネル寄せ金具２は、目地板１よりも若干幅広で適宜な長さの鋼板を折り曲げてなり、金具主板２１の両側を斜め上方に立ち上げるとともに、下側パネルＰ１のパネル枠材Ｐ１ａの下面に接合し得るように両側端２２、２２を水平に屈曲して形成してある。なお、金具主板２１の中央には、ボルト３が螺合するねじ孔（図示せず）が形成してある。
【００１４】
上記構成の目地板１とパネル寄せ金具２を用いて上下パネルＰ１、Ｐ２を接続する操作は、以下のようにして行うことができる。
【００１５】
先ず、床レール５１上に支柱５２、５２を所定間隔に立て並べ、その前側と後側に所定間隔を保って下側パネルＰ１、Ｐ１を取り付ける。このとき、前後のパネルＰ１、Ｐ１のパネル枠材Ｐ１ａ、Ｐ１ａの下面にパネル寄せ金具２の両端部２２、２２を差し入れて係合させ、これと併せてパネル枠材Ｐ１ａ、Ｐ１ａの上面に目地板１を差し渡して目地部１２、１２を載せ、パネル枠材Ｐ１ａ、Ｐ１ａの鉤状縁部ｋを目地板１の被係合部１６に係合させる。
【００１６】
そこで、目地板１のボルト挿通孔にボルト３を挿入し、その下端部をパネル寄せ金具２のねじ孔に螺合して締め付ける。このとき、ボルト３が適度の深さまで螺合すると、目地板１の下方へ突出した突片１４、１５の先端がパネル寄せ金具２の上面に当たるので、当たったときの感触でボルト３を適切な深さまで締め付けたことを確認することができる。また、必要以上に締め付けた場合でも、パネル寄せ金具２の上面に突片１４、１５の先端が当接して目地板１とパネル寄せ金具２の間隔が適正に保たれるため、パネル寄せ金具２が変形することもなく、下側パネルＰ１、Ｐ１の上端が前後に開く虞れもない。
【００１７】
ボルト３を締め付けて下側パネルＰ１、Ｐ１を所定間隔に取り付けたならば、目地板１の目地部１２、１２上に上側パネルＰ２、Ｐ２の下端部を載せて接合するとともに、パネル枠材Ｐ２ａ、Ｐ２ａの鉤状縁部ｋを目地板１の被係合部１６に係合させる一方、上側パネルＰ２、Ｐ２の上端部を天井レール５３に取り付けて固定することにより、上下パネルＰ１、Ｐ２の取り付けが完了する。
【００１８】
目地板１を挟んで接続した上下パネルＰ１、Ｐ２は、ともにパネル枠材Ｐ１ａ、Ｐ２ａの鉤状縁部ｋが目地板１の被係合部１６に係合しているので、両パネルＰ１、Ｐ２の端部は目地部１２、１２に接合した状態に保持される。このため、上下パネルＰ１、Ｐ２に外側から外力が作用しても、目地部１２、１２に隣接して設けられた突片１３、１４が上下パネルＰ１、Ｐ２の端部の水平方向への移動を規制するため、両パネルＰ１、Ｐ２の端部は目地部１２、１２に強固に接合し、両パネルＰ１、Ｐ２が目地板１から脱落することはない。
【００１９】
なお、図示した間仕切りパネルのパネル構成や目地板の形状、パネル寄せ金具の形状は一例であり、本発明はこれに限定されず、他の適宜な構成や形状のものに適用可能である。上下パネルＰ１、Ｐ２の接続操作の際、予め目地板１にボルト３をねじ入れて、目地板１の下側にパネル寄せ金具２を重ねてボルト３に一体に螺合しておき、この目地板１を支柱５２、５２の間に架け渡し、その後、支柱５２に対して前後両方から下側パネルＰ１、Ｐ１を装着し、パネル寄せ金具２の両端部２２、２２を下側パネルＰ１、Ｐ１のパネル枠材Ｐ１ａ、Ｐ１ａの下面に係合させてボルト３を締め付けて固定してもよい。
【図面の簡単な説明】
【００２０】
【図１】本発明の一実施形態の目地板を用いて上下パネルを接続した状態の間仕切りパネルの要部断面図である。
【図２】（Ａ）は図１の目地板の断面図、（Ｂ）は目地板に上下パネルを接合した状態を示した拡大図である。
【図３】上下にパネルを配して構成した間仕切りパネルの外観図である。
【図４】図３のパネル構成における従来のパネル接続構造を示した間仕切りパネルの断面図である。
【図５】図３のパネル構成における従来の他のパネル接続構造を示した間仕切りパネルの要部断面図である。
【符号の説明】
【００２１】
１  目地板、１１  主板、１２  目地部、１３、１４、１５  突片、１６  被係合部、２  パネル寄せ金具、３  ボルト、Ｐ１  下側パネル、Ｐ２  上側パネル（欄間パネル）
【図１】
2008019667.tif 000003
【図２】
2008019667.tif 000004
【図３】
2008019667.tif 000005
【図４】
2008019667.tif 000006
【図５】
2008019667.tif 000007